(57)【要約】【課題】１種類のジョイントコネクタでさまざまな接続回路を容易に形成可能とする。【解決手段】複数本の電線端末に接続されたオス端子を挿入係止している第１コネクタと、第１コネクタと嵌合する第２コネクタと、第２コネクタに並設した全端子収容室内に１個ずつ予め収容している複数のジョイント用メス端子を備え、第２コネクタの並設した端子収容室を区切る仕切壁に端子接続用窓部を設けている一方、各ジョイント用メス端子はＵ形状とした両側部に互いに近接方向へ湾曲させた弾性変形部と、弾性変形部から先端側にかけて互いに離反する逆方向へ湾曲させた電気接触部を設け、第１、第２コネクタの嵌合時にジョイント用メス端子の内部に挿入されるオス端子により弾性変形部が押圧変形されて電気接触部を端子接続用窓部内部に挿入させ、隣接する電気接触部を互いに接触させる。【選択図】図３
2010073514.tif 000002
【特許請求の範囲】
【請求項１】
ワイヤハーネスの複数本の電線の端末にそれぞれ接続されたオス端子を挿入係止している第１コネクタと、
前記第１コネクタと嵌合する第２コネクタと、
前記第２コネクタのコネクタハウジングに並設した全端子収容室内に各１個ずつ予め収容している複数のジョイント用メス端子を備え、
前記第２コネクタの並設した端子収容室を区切る仕切壁に、それぞれ端子接続用窓部を貫通して設けている一方、
前記各ジョイント用メス端子はＵ形状とした両側部に互いに近接方向へ湾曲させて形成した弾性変形部と、該弾性変形部から先端側にかけて互いに離反する逆方向へ湾曲させた電気接触部を備え、該電気接触部を前記端子接続用窓部に沿った位置で且つ該端子接続用窓部内に挿入しない状態で収容しており、
前記第１、第２コネクタの嵌合時に前記ジョイント用メス端子の内部に挿入される前記オス端子により前記弾性変形部が押圧変形されて前記電気接触部を前記端子接続用窓部に挿入させ、隣接するジョイント用メス端子の電気接触部を端子接続用窓部の内部で互いに接触させる構成としていることを特徴とするジョイントコネクタ。
【請求項２】
前記第１コネクタ内の並列した端子収容室内に、複数の前記オス端子を隣接して並列している第１ジョイント部分と、該第１ジョイント部分とは隣接させていないと共に複数の前記オス端子を隣接して並列している第２ジョイント部分とがあり、該第１ジョイント部と第２ジョイント部とは、第２コネクタとの嵌合時に非接触とされている請求項１に記載のジョイントコネクタ。
【発明の詳細な説明】
【技術分野】
【０００１】
本発明は、ジョイントコネクタに関し、詳しくは、一つのジョイントコネクタ内に任意に種々の接続回路を形成可能とするものである。
【背景技術】
【０００２】
従来、ワイヤハーネスの複数本の電線を導通させて所要の接続回路を形成するジョイントコネクタとして、図６に示すようなジョイントコネクタ３が知られている。該ジョイントコネクタ３は、ワイヤハーネスＷ／Ｈの各電線ｗの端末に接続したメス端子４が挿入係止される第１コネクタ１と、該第１コネクタ１と嵌合する第２コネクタ２を備え、第２コネクタ２のコネクタハウジング２ａ内には、第１コネクタ１との嵌合時に複数本の電線端末のメス端子４を導通させるジョイント用バスバー５を収容している（特開２００１−３９２３９号公報参照）。
【０００３】
しかし、前記構成のジョイントコネクタ３では、必要とされる接続回路に対応した形状のジョイント用バスバー５を予め第２コネクタ２のコネクタハウジング２ａ内に収容しておく必要があり、回路変更等があった場合には容易に対応することが難しいという問題がある。
【０００４】
【特許文献１】特開２００１−３９２３９号公報
【発明の開示】
【発明が解決しようとする課題】
【０００５】
本発明は前記問題に鑑みてなされたものであり、同一のジョイントコネクタで、任意の位置で種々の接続回路を容易に形成可能とすることを課題としている。
【課題を解決するための手段】
【０００６】
前記課題を解決するため、本発明は、ワイヤハーネスの複数本の電線の端末にそれぞれ接続されたオス端子を挿入係止している第１コネクタと、
前記第１コネクタと嵌合する第２コネクタと、
前記第２コネクタのコネクタハウジングに並設した全端子収容室内に各１個ずつ予め収容している複数のジョイント用メス端子を備え、
前記第２コネクタの並設した端子収容室を区切る仕切壁に、それぞれ端子接続用窓部を貫通して設けている一方、
前記各ジョイント用メス端子はＵ形状とした両側部に互いに近接方向へ湾曲させて形成した弾性変形部と、該弾性変形部から先端側にかけて互いに離反する逆方向へ湾曲させた電気接触部を備え、該電気接触部を前記端子接続用窓部に沿った位置で且つ該端子接続用窓部内に挿入しない状態で収容しており、
前記第１、第２コネクタの嵌合時に前記ジョイント用メス端子の内部に挿入される前記オス端子により前記弾性変形部が押圧変形されて前記電気接触部を前記端子接続用窓部に挿入させ、隣接するジョイント用メス端子の電気接触部を端子接続用窓部の内部で互いに接触させる構成としていることを特徴とするジョイントコネクタを提供している。
【０００７】
即ち、本発明では、電線端末のオス端子が係止された第１コネクタが嵌合される第２コネクタの全端子収容室内に、弾性変形部と電気接触部をＵ形状の両側部に設けたジョイント用メス端子を１個ずつ予め設けている。また、並設した前記各端子収容室を区切る仕切壁に端子接続用窓部を貫通して設け、隣接するジョイント用メス端子の弾性変形部が挿入されたオス端子によってそれぞれ押圧変形された場合にのみ、前記端子接続用窓部の内部で、隣接するジョイント用メス端子の電気接触部を互いに接触させる構成としている。
【０００８】
したがって、前記構成によれば、導通させたい電線端末のオス端子を、第２コネクタの隣接する端子収容室内のジョイント用メス端子に挿入させるだけで、隣接するジョイント用メス端子の弾性変形部をそれぞれ押圧変形させ、端子接続用窓部の内部で前記弾性変形部に連続する電気接触部を互いに接触させて電気接続することが可能となる。一方、互いに導通させたくない電線端末のオス端子は、第２コネクタの隣接する端子収容室内に挿入されないようにするだけで導通を防ぐことができる。このように、前記構成によれば、隣接するジョイント用メス端子にオス端子を挿入するかしないかによって、同一のジョイントコネクタでさまざまな接続回路を形成することが可能となるため、従来のように、必要とされる接続回路に合わせた特定形状のジョイント用バスバーを予め用意する必要もなく、部品の共通化を図ってコストを低減することができる。
【０００９】
具体的には、前記第１コネクタ内の並列した端子収容室内に、複数の前記オス端子を隣接して並列している第１ジョイント部分と、該第１ジョイント部分とは隣接させていないと共に複数の前記オス端子を隣接して並列している第２ジョイント部分とがあり、該第１ジョイント部と第２ジョイント部とは、第２コネクタとの嵌合時に非接触とされている。
【００１０】
前記構成によれば、第１ジョイント部分を構成する複数のオス端子は第１コネクタの端子収容室内に隣接して並列されているため、第２コネクタとの嵌合時には隣接したジョイント用メス端子に挿入されて互いに電気接続され、第１の接続回路を形成することができる。同様に、第２ジョイント部分を構成する複数のオス端子も第１コネクタ内の並列した端子収容室内に隣接して並列されているため、第２コネクタとの嵌合時には隣接したジョイント用メス端子に挿入されて互いに電気接続され、第２の接続回路を形成することができる。なお、第１コネクタの第１ジョイント部分と第２ジョイント部分は隣接させていないため、第２コネクタとの嵌合によって形成された前記第１、第２の接続回路は、互いに導通されない別個の接続回路となる。
【００１１】
なお、ここでいう「隣接」とは、第２コネクタの各端子収容室内に設けられたジョイント用メス端子の弾性変形部が押圧変形する方向に隣接していることを意味している。したがって、前記弾性変形部の変形方向が左右方向であれば、端子収容室がたとえ上下方向に隣接していたとしても、該端子収容室に挿入された各端子は隣接させていないと解される。
また、第１、第２コネクタの端子収容室の配列状態にもよるが、必要に応じて、前記第１、第２ジョイント部分と同様のジョイント部分を３つ以上形成し、１つのジョイントコネクタで３つ以上の接続回路を形成することもできる。
【００１２】
前記第２コネクタの端子収容室内に１個ずつ設けられるジョイント用メス端子は、挿入治具を用いて前記各端子収容室内に同時に挿入係止されることが好ましい。
また、前記ジョイント用メス端子は、まず、両側部の先端を連続させた連鎖形状として形成し、その後、両側部の連続部分を切断して１個ずつのジョイント用メス端子を形成することが好ましい。
さらに、前記ジョイント用メス端子の両側部の変形しない部分に係止穴を設け、第２コネクタの端子収容室の内壁から突設したランスを前記係止穴に係止させることにより、ジョイント用メス端子を前記端子収容室内に位置決め保持することが好ましい。
【発明の効果】
【００１３】
前述したように、電線端末のオス端子が係止された第１コネクタが嵌合される第２コネクタの全端子収容室内に、弾性変形部と電気接触部をＵ形状の両側部に設けたジョイント用メス端子を１個ずつ予め設けている。また、隣接するジョイント用メス端子の弾性変形部が挿入されたオス端子によってそれぞれ押圧変形された場合にのみ、各端子収容室を区切る仕切壁に設けた端子接続用窓部の内部で、隣接するジョイント用メス端子の電気接触部を互いに接触させる構成としている。
したがって、前記構成によれば、導通させたい電線端末のオス端子を第２コネクタの隣接する端子収容室内のジョイント用メス端子に挿入させるだけで電気接続が可能となる一方、互いに導通させたくない電線端末のオス端子は、第２コネクタの隣接する端子収容室内に挿入されないようにするだけで導通を防ぐことができ、同一のジョイントコネクタでさまざまな接続回路を形成することが可能となる。即ち、本発明によれば、従来のように必要とされる接続回路に合わせた特定形状のジョイント用バスバーを予め用意する必要もなく、部品の共通化を図ってコストを低減することができる。
【発明を実施するための最良の形態】
【００１４】
以下、本発明の実施形態を図面を参照して説明する。
図１乃至図５は本実施形態を示す。図１に示すように、本実施形態のジョイントコネクタ１０は、第１コネクタ１１と第２コネクタ１４を備えている。
第１コネクタ１１のコネクタハウジング１２には、ワイヤハーネスＷ／Ｈを構成する複数本（本実施形態では１０本）の電線ｗの端末に接続したオス端子２０を挿入係止する端子収容室１３を設けており、本実施形態では、第１コネクタ１１のコネクタハウジング１２に、上下段に各６個ずつ、合計１２個の端子収容室１３を並設している。
【００１５】
第２コネクタ１４は前記第１コネクタ１１と嵌合するものであり、第２コネクタ１４のコネクタハウジング１５には、ジョイント用メス端子１７を１個ずつ収容した端子収容室１６を設けている。本実施形態では、第１コネクタ１１と同様に、上下段に各６個ずつ、合計１２個の端子収容室１６を並設しており、横方向に並列した端子収容室１６を区切る仕切壁１８には端子接続用窓部１９を貫通して設けている。
【００１６】
第２コネクタ１４のジョイント用メス端子１７は、図２に示すように、Ｕ形状を有していると共に、その左右両側部には互いに近接方向へ湾曲させた弾性変形部１７ａと、該弾性変形部１７ａから先端側にかけて互いに離反する逆方向へ湾曲させた電気接触部１７ｂとを設けている。ジョイント用メス端子１７の内部にオス端子２０が挿入されていないときには、電気接触部１７ｂは端子接続用窓部１９に位置し、かつ端子接続用窓部１９の内部に挿入されない状態を保っている。
しかし、図３のように、第１コネクタ１１と第２コネクタ１４との嵌合時にジョイント用メス端子１７の内部にオス端子２０が挿入されると、該オス端子２０によってジョイント用メス端子１７の弾性変形部１７ａが押圧変形され、先端側の電気接触部１７ｂが端子接続用窓部１９の内部に挿入される構造になっている。即ち、隣接するジョイント用メス端子１７にオス端子２０がそれぞれ挿入されると、隣接するジョイント用メス端子１７の電気接触部１７ｂが端子接続用窓部１９の内部で互いに接触して、電気接続される構造となっている。
【００１７】
ジョイント用メス端子１７は、両側部の先端を連続させた連鎖形状として形成し、その後、連続部分を切断して１個ずつジョイント用メス端子１７を形成している。
前記のように形成したジョイント用メス端子１７を、挿入治具（図示せず）を用いて第２コネクタ１４の各端子収容室１６内に同時に挿入係止する。なお、ジョイント用メス端子１７の両側部の変形しない部分には係止穴１７ｃを設けている。挿入係止の際、端子収容室１６の内壁から突設したランス１６ａが係止穴１７ｃに係止することにより、ジョイント用メス端子１７を端子収容室１６に位置決め保持している（図４）。
【００１８】
以下、ワイヤハーネスＷ／Ｈを構成する１０本の電線ｗのうち、電線２本、電線３本、電線２本、電線３本をそれぞれジョイントして、４種類の接続回路（第１、第２、第３、第４接続回路）を形成する方法を説明する。
まず、図２に示すように、第１コネクタ１１の端子収容室１３の上段に、２本の電線端末に接続された２個のオス端子２０を隣接して並列した第１ジョイント部分２１と、３本の電線端末に接続された３個のオス端子２０を隣接して並列した第２ジョイント部分２２を設け、第１ジョイント部分２１と第２ジョイント部分２２との間に端子収容室１個分を空けて、第１ジョイント部分２１と第２ジョイント部分２２が互いに隣接しないようにしている。下段の端子収容室１３にも、上段の第１、第２ジョイント部分２１、２２と同様に、第３、第４ジョイント部分２３、２４を形成している。
【００１９】
続いて、図３に示すように、第１コネクタ１１を第２コネクタ１４に嵌合させる。第１ジョイント部分２１を構成する２個のオス端子２０は、第２コネクタ１４との嵌合によって、隣接した端子収容室１６のジョイント用メス端子１７に挿入される。即ち、第１ジョイント部分２１を構成する２個のオス端子２０が隣接する２個のジョイント用メス端子１７の弾性変形部１７ａをそれぞれ押圧変形させ、端子収容室１６を区切る仕切壁１８に設けた端子接続用窓部１９の内部で、隣接するジョイント用メス端子１７の電気接触部１７ｂを互いに接触させる。これにより、第１の接続回路３１を形成することができる。
【００２０】
同様に、第２、第３、第４ジョイント部分２２、２３、２４を構成する３個または２個のオス端子２０も、第２コネクタ１４との嵌合によって隣接したジョイント用メス端子１７に挿入されて電気接続され、第２、第３、第４の接続回路３２、３３、３４を形成することができる。前記のように、第１、第２、第３、第４ジョイント部分２１、２２、２３、２４は、それぞれ他のジョイント部分と隣接させていないため、第２コネクタ１４との嵌合によって形成される第１、第２、第３、第４接続回路３１、３２、３３、３４は互いに導通されない別個の接続回路となる［図３（Ｂ）］。
【００２１】
一方、回路変更が生じ、ワイヤハーネスＷ／Ｈを構成する１０本の電線ｗのうち、電線４本と、電線６本をそれぞれジョイントして、２種類の接続回路を形成する必要がある場合、４本の電線端末に接続された４個のオス端子２０を第１コネクタ１１の上段の端子収容室１３に隣接して並列させて第１ジョイント部分４１を形成する。また、６本の電線端末に接続された６個のオス端子２０を第１コネクタ１１の下段の端子収容室１３に隣接して並列させて、第１ジョイント部分と隣接しない第２ジョイント部分４２を形成するだけで、第２コネクタ１４との嵌合によって容易に２種類の接続回路（第１接続回路５１、第２接続回路５２）を形成することができる［図５（Ａ）、（Ｂ）］。
【００２２】
前記のように、同一のジョイントコネクタ１０を用いて、さまざまな接続回路の形成が可能となるため、従来のように、必要とされる接続回路の種類に合わせた特定のジョイント用バスバーを予め用意する必要もなく、部品の共通化を図ってコストを低減することができる。
【図面の簡単な説明】
【００２３】
【図１】本実施形態のジョイントコネクタを示し、（Ａ）は第１コネクタ側から見たジョイントコネクタの概略斜視図、（Ｂ）は第２コネクタ側から見たジョイントコネクタの概略斜視図である。
【図２】（Ａ）（Ｂ）は第１コネクタと第２コネクタが非嵌合状態のジョイントコネクタの概略断面図である。
【図３】第１コネクタを第２コネクタに嵌合し接続回路を形成したジョイントコネクタを示し、（Ａ）は概略斜視図、（Ｂ）は概略断面図である。
【図４】（Ａ）は第２コネクタの端子収容室内に位置決め保持されるジョイント用メス端子の説明図であり、（Ｂ）端子収容室内に位置決め保持されたジョイント用メス端子のＡ−Ａ断面図である。
【図５】異なる接続回路を形成したジョイントコネクタを示し、（Ａ）は端子収容室の上段を示す概略断面図、（Ｂ）は端子収容部の下段を示す概略断面図である。
【図６】従来例を示す図である。
【符号の説明】
【００２４】
１０  ジョイントコネクタ
１１  第１コネクタ
１２  コネクタハウジング
１３  端子収容室
１４  第２コネクタ
１５  コネクタハウジング
１６  端子収容室
１６ａ  ランス
１７  ジョイント用メス端子
１７ａ  弾性変形部
１７ｂ  電気接触部
１７ｃ  係止穴
１８  仕切壁
１９  端子接続用窓部
２０  オス端子
２１、４１  第１ジョイント部分
２２、４２  第２ジョイント部分
２３  第３ジョイント部分
２４  第４ジョイント部分
３１、５１  第１接続回路
３２、５２  第２接続回路
３３  第３接続回路
３４  第４接続回路
【図１】
2010073514.tif 000003
【図２】
2010073514.tif 000004
【図３】
2010073514.tif 000005
【図４】
2010073514.tif 000006
【図５】
2010073514.tif 000007
【図６】
2010073514.tif 000008